(57)【要約】      （修正有）【課題】支持脚を開脚させる作業を簡単に行うことができるカメラ支持具を提供する。【解決手段】三脚は、カメラ固定部材とベース部材１０に３本の支持脚と板バネ部材１１とコレットチャック１２とを駆動するための駆動部材受け部材１４内を回転する駆動部材と、それを回すための駆動部材１３に一体化したハンドル部材１６を備え、コレットチャック１２の上下移動によって板バネ部材１１を上下移動することによって、支持脚の突起部間内を出入りさせて支持脚の開閉を行い、同時に、コレットチャック１２の口径部１２ｃの径の変化による支柱部材の締め付け力の変化を用いてカメラ固定部材の高さ調整をする。【選択図】図６
2019003165.tif 000002
【特許請求の範囲】
【請求項１】
撮像装置が固定されるカメラ固定部材と、
板バネ部材、コレットチャック等を備えたベース部材に、駆動部材受けを固定したこと
を特徴とするカメラ支持具。
【請求項２】
撮像装置が固定されるカメラ固定部材と、
レバー部材の回転方向により、例えば駆動部材の偏芯部がコレットチャックの駆動穴内の回動によって、コレットチャックと板バネ部材は垂直上下方向Ｙに移動すること
を特徴とするカメラ支持具。
【請求項３】
撮像装置が固定されるカメラ固定部材と、
コレットチャックが垂直上下方向Ｙを移動することにより、板バネ部材の雌型テーパー形穴部とコレットチャックの雄型テーパー部によりコレットチャックの口径部とカメラ固定部材の支柱部材との嵌合は隙間あるいは締り嵌合になり、支柱部材８は垂直方向Ｙ上下移動または固定が可となる構造を
特徴とするカメラ支持具。
【請求項４】
撮像装置が固定されるカメラ固定部材と、
支持脚の頭部にネジリコイルバネを装着し、その回転モーメントで開脚すること
を特徴とするカメラ支持具。
【請求項５】
撮像装置が固定されるカメラ固定部材と、
ベース部材の底部には同一の構成を有するネジリコイルバネを装着した３本以上の支持脚は上端部３ｂを有し、上下移動する板バネ部材がその上端部間を出入りする構造を備えた、
ことを特徴とするカメラ支持具。
【請求項６】
撮像装置が固定されるカメラ固定部材と、
板バネ部材には支持脚の上端部を抑えるための爪部と止め部を持つ
ことを特徴とするカメラ支持具。
【請求項７】
撮像装置が固定されるカメラ固定部材の支柱軸部材と
コレットチャック型部材とを一体化した構造を
特徴とするカメラ支持具。
【請求項８】
撮像装置が固定されるカメラ固定部材と、
本発明の開脚装置に特許４６９６２９０号カメラ支持具の脚伸縮装置を備えていること
を特徴とするカメラ支持具。
【発明の詳細な説明】
【０００１】  本発明は、スチルカメラやビデオカメラ等の撮像装置を支持するカメラ支持具に関するものである。
【背景技術】
【０００２】  従来から撮像装置によってセルフタイマ撮影やリモコンを用いた撮影を行う際に、その撮像装置を支持する三脚等のカメラ支持具が用いられている。このようなカメラ支持具は、一般的に、カメラ固定部材を支持する支持脚を備えている。
【発明の開示】
【発明が解決しようとしている課題】
【０００３】  このようなカメラ支持具は、カメラ固定部材に、開脚可能のカメラ支持脚を備えている。支持脚を開脚する場合に、それぞれのカメラ支持脚を広げる時間と手間を要する問題があった。
【０００４】  本発明の目的は、上述の問題点を考慮し、支持脚を開脚させる作業を簡単に行うことが出来るカメラ支持具を提供することにある。
【課題を解決するための手段】
【０００５】  上記課題を解決し、本発明の目的を達成するため、本発明のカメラ支持具は、ハンドル部材と一体化した偏芯軸部材、上下移動可能なコレットチャック、カメラ固定部材、板バネ部材、開脚を担うばね、を備えたこと、を最も主要な特徴とする。
（開閉機構の説明）
【０００６】  本発明のカメラ支持具は、ハンドル部材の回転によるコレットチャックの駆動と共に板バネ部材は上下移動し、該板バネ部材が支持脚の突起部間から離れると、ネジリコイルバネの回転モーメントで開脚しようとしている支持脚は開き、また開いた支持脚に外部から力を与え閉脚すると、板バネ部材は支持脚の突起部によって一旦押し上げられた後、突起部と突起部の内側に戻り、開脚不可となって閉脚状態を保つ。
【カメラ固定台の高さ調整】
【０００７】  本発明のカメラ支持具は、ハンドル部材の回転駆動によるコレットチャック上下移動で、板バネ部材の雌型テーパー部とコレットチャックの雄型テーパー部によって該コレットチャックの口径部の径の変化による把握力の強弱が可能になる。カメラ固定部材の下方に突出する支柱部材をコレットチャックで把握するとき、把握力が弱い状態でカメラ固定部材は上下移動が可能になり、また把握力が強い状態ではカメラ固定部材の支柱軸部材を固定できるので、カメラの高さ調整が可能になる。
【特許４６９６２９０号カメラ支持具との組み合わせ】
【０００８】  特許４６９６２９０号カメラ支持具では、開脚は外部から力を加えていたが、本発明のカメラ支持具の開脚装置を用いるなら、開脚と同時に支持脚は伸長しカメラ固定部材の接地面からの高さも自由に固定可能となる。その結果、支持脚の開脚と伸長作業を極めて簡単に行うことができる。
【図を用いて詳細に説明】
【０００９】  以下、本発明のカメラ支持具を実施するための最良の形態について、図面を参照して説明するが、本発明は以下の形態に限定されるものではない。
【００１０】  図１は、本発明のカメラ支持具の一実施形態の支持脚を閉脚させた状態を示す斜視図、図２は同じく支持脚を開脚させた状態の斜視図である。
図３は、カメラ固定部材の支柱部材を上方に引き上げた状態の斜視図である。
【００１１】  図１．図２及び図３に示すように、本発明の一実施形態を示すカメラ支持具は、撮像装置（図示せず）が固定されるカメラ固定部材２と、このカメラ固定部材２を支持する３本以上の支持脚から構成されている。
【００１２】  図３に示すように、カメラ固定部材２は、カメラ固定台１９から下方に突き出たカメラ固定台軸４の下部の球状部材５を収容する球受け部材６、該球状部材５を締め付けるための球受け部材６に螺合する螺合部材７、球受け部材６の下部から突き出る支柱部材８を備えている。
【００１３】  カメラ固定台１９には、撮像装置の底面に設けられた三脚用ネジ穴（図示せず）に螺合する固定ネジ９が設けられている。
【００１４】  ベース部材１０に板バネ部材１１、コレットチャック１２を装着し、駆動部材１３の偏芯部１３ａはコレットチャック１２の駆動穴１２ａに隙間嵌合、ベース部材１０に螺合する固定ネジ１５によって固定する駆動部材受１４はベース部材に固定され、該ベース部材１０の底部には同一の構成を有する３本以上の支持脚を備えている。
【組み立て方法を説明】
【００１５】  図４（Ａは上方から、Ｂは下方から見た略図）、図５を用いて詳細に説明すると、ベース部材１０の間隙１０ａに板バネ部材１１を装着（方法は、先ず二つの間隙１０ａに板バネ部材１１の三つの爪部１１ａのうち二つを入れ、板バネ部材１１の中心方向に外力をかけ、板バネ部材１１を撓ませて残った爪部１１ａをもう一つの間隙１０ａに入れて収容）する。次に、コレットチャック１２を板バネ部材１１のコレットチャック用の穴１１ｄと、ベース部材１０のコレットチャック用の穴１０ｄの双方に貫通隙間嵌合に装着する。次に図６（Ａは駆動部材、Ｂは駆動部材受け）を用いて、コレットチャック１２の口径部とハンドル部材１６の回転位置を定めるための組み立て方法の一例を示す。先ず、駆動部材受け１４に駆動部材１３を隙間嵌合に嵌め、該偏心部１３ａをコレットチャック１２の駆動穴１２ａに隙間嵌合に嵌め、駆動部材受け１４をベース部材１０に固定ネジ１５によって固定し、コレットチャック１２の口径部の径が適切になるようにベース部材に対するコレットチャック１２の垂直方向Ｙ位置を定めておいて、ネジリコイルバネ１７を駆動部材１３に装着し、その一端１７ｂを駆動部材受１４に固定、他の一端１７ａをハンドル１６に固定し、駆動部材１３の雄テーパー部１３ｂにハンドル部材１６の雌テーパー部１６ａを止まり嵌合に嵌め、ハンドル部材１６を回しながらネジリコイルバネに適切な回転モーメントを与え、駆動部材１３とハンドル部材１６を止めネジ１６ｂで締め付け固定する。図７のＡは閉脚状態、Ｃは開脚状態、ＢはＡの側面図、Ｄは閉脚過程図を示す。図８のＡは支持脚３に開脚用バネ１８を装着しベース部材１０に組み込み方を示す図、ＢはＣのＹ−Ｙ断面略図、Ｃはネジリコイルバネ装着前の支持脚、Ｄは支持脚３にネジリコイルバネ１８を装着しベース部材１０に脚軸３ｄを用いて組み込んだ断面略図、Ｅは脚軸３ｄの斜視図を示す。次に図８のＡを用いてベース部材１０と支持脚３の組み立て方法の一例を説明すると、支持脚３にネジリコイルバネ１８の一端１８ａを支持脚３の固定部３ａ（Ｃを参照）に固定し、もう一端１８ｂをベース部材１０の底部溝１０ｅ（Ｄ及び図５のＣ−Ｃ断面図を参照）に固定し、ネジリコイルバネ１８にねじりモーメントを与えるために支持脚をＦ方向に押し込み、ベース１０の穴１０ｂ（図５Ｃ−Ｃ断面図参照）と支持脚３の穴３ｃの芯を合わせて脚軸３ｄを貫通挿入し、その一方を、例えばベース部材１０の脚軸用穴１０ｂと脚軸３ｄは隙間嵌合、支持脚３の脚穴３ｃと脚軸３ｄは締り嵌合し、支持脚３を開閉可能に装着する。
【閉脚、開脚の操作機構の説明】
【００１６】  本発明を図６及び図７を用いて詳細に説明すると、ネジリコイルバネ１７の回転モーメントによるハンドル部材１６の回転力によって、該ハンドル部材１６と一体化した駆動部材１３の偏芯部１３ａもコレットチャックの駆動穴１２ａ内を回動し、コレットチャック１２及び板バネ部材１１はＡに示すように垂直方向Ｙ最下部に移動、板バネ部材１１の爪部１１ａは支持脚３の上端部３ｂ間にあるとき、止め部１１ｃはベース部材の当たり部１０ｆに当たって閉脚状態を安定させて保っている。カメラ支持具を開脚するには、ネジリコイルバネ１７の回転モーとメントと逆回転方向に駆動部材１３をハンドル部材１６によって回せば、コレットチャック１２の駆動穴１２ａ内を偏芯部１３ａが回動してコレットチャック１２は垂直上方向Ｙに移動し板バネ部材１１は支持脚３の上端部３ｂ間から出、ネジリコイルバネ１８の回転モーメントによって開こうとしている支持脚３は開脚し始め、上端部３ｂはＣに示すようにベース部材１０の当たり部１０ｃに当たって止まり開脚状態を保つ（Ｃを参照）。再び閉脚状態を保持するには、支持脚３を手動で閉脚し、ネジリコイルバネ１７の回転モーメントによってコレットチャック１２及び板バネ部材１１はＤに示すように垂直方向Ｙ最下部に押し付けられているが、支持脚３の上端部３ｂによって板バネ部材１１の爪部１１ａは閉脚過程で上方向に一旦撓み、Ａに示すように再び弾性力によって開いた支持脚３の上端部３ｂ間内に戻り、板バネ部材１１の止め部１１ｃがベース部材１０の当たり部１０ｃに当たって、安定に閉脚状態を保つ。
【カメラ固定台の垂直方向Ｙ上下移動の調整機構の説明】
【００１７】  カメラ固定台１９の垂直方向Ｙ上下移動の調整方法を図３および図５、図６によって説明すると、ハンドル部材１６をネジリコイルバネ１７のねじりモーメントと逆回転方向に回し、駆動部材１３の偏芯部１３ａがコレットチャック１２の駆動穴１２ａ内の回動によってコレットチャック１２は垂直上方向Ｙに移動し、板バネ部材１１の雌型テーパー形穴部１１ｂとコレットチャック１２の雄型テーパー部１２ｂによって、コレットチャック１２の口径部１２ｃとカメラ固定部材の支柱部材８との嵌合は隙間嵌合になり、支柱部材８は垂直方向Ｙ上下移動が可となる。その時、特定の位置で操作を停止しハンドル１６を開放すれば、ネジリコイルバネ１７のねじりモーメントと同方向にハンドル部材１６は回転し、コレットチャックの口径部は閉じ支柱部材８との嵌合は締り嵌合になって支柱部材８は固定され、カメラ固定台１９の垂直方向Ｙの上下移動調整ができる。また、ネジリコイルバネ１７を装着しない方式でも、手動でハンドル部材を左右に回せば同様にカメラ固定台１９の垂直方向Ｙの上下移動調整ができる。
【開脚装置と特許４６９６２９０号カメラ支持具との組み合わせ】
【００１８】  本発明のカメラ支持具開脚装置は、特許４６９６２９０号カメラ支持具の脚伸縮装置と組み合わせれば、カメラを支えながら手動でハンドル部材１６をネジリコイルバネ１７の回転モーメントに逆らって回すとき、コレットチャック１２は垂直方向Ｙの上方向に移動し、コレットチャック１２とカメラ固定部材２の下部から突き出ている支柱部材８は隙間嵌合となり、カメラ固定部材２以外は重力によって落下し、支持脚の開脚と伸長が同時に起こり、最終段脚が地面に接した状態で立脚でき、カメラ支持が極めて容易である。
【図面の簡単な説明】
【００１９】
【図１】本発明のカメラ支持具の第１の実施形態を示す三脚の支持脚を閉じた状態の斜視図である。
【図２】本発明のカメラ支持具の第１の実施形態を示す三脚の支持脚を開いた状態の斜視図である。
【図３】本発明のカメラ支持具の第１の実施形態を示す三脚のカメラ固定部材の支柱部材を伸ばした状態の斜視図である。
【図４】本発明のカメラ支持具の第１の実施形態を示す三脚のベースを上方下方から見た図及び断面図である。
【図５】本発明のカメラ支持具の第１の実施形態を示す三脚の板バネの断面図及び上方から見た図、ベース部材を上方から見た図及び断面図である。
【図６】本発明のカメラ支持具の第１の実施形態を示す三脚でカメラ固定部材を装着する前のコレットチャック上下移動装置を上方から見た図及び該断面略図とコレットチャックの略図である。
【図７】本発明のカメラ支持具の第１の実施形態を示す三脚でＡは閉脚状態、Ｂは側面略図、Ｃは開脚状態を示す断面略図で、Ｄは三脚の閉脚過程の板バネ部材と支持脚の状態を示す断面略図である
【図８】本発明のカメラ支持具の第１の実施形態を示す。Ａはベース部材にネジリコイルバネを装着した支持脚の組み込み方法の一例を示した図、Ｃはネジリコイルバネ装着以前の支持脚、Ｂはそのｙ−ｙ断面図、Ｄは支持脚にネジリコイルバネを装着しベースに組み込んだ断面略図である。
【図９】本発明のカメラ支持具の第２の実施形態を示す三脚のＡは閉脚状態、Ｂは開脚状態を示す断面略図で、第一実施形態のコレットチャックに替わってコレットチャック型部材と支柱軸を一体化した構造の第二実施形態を示す。
【符号の説明】
【００２０】  １…三脚（カメラ支持具）、２…カメラ固定部材，３…支持脚、４、…カメラ固定台軸、５…球状部材、６…球受け部材、７…螺合部材、８…支柱部材、９…カメラ固定ネジ、１０…ベース部材、１１…板バネ部材、１２…コレットチャック、１３…駆動部材、１４…駆動部材受け、１５…固定ネジ、１６…ハンドル部材、１７…ネジリコイルバネ、１８…脚用ネジリコイルバネ、１９…カメラ固定台、３ａ…ネジリコイルバネの一端止め部（図８参照）、３ｂ…上端部、３ｃ…脚軸用穴、１０ａ…ベース部材の間隙（図５参照）、１０ｂ…ベース部材の脚軸用穴、１０ｃ…脚上端当たり部（図７参照）、１０ｄ…コレットチャック用穴（図５参照）、１０ｅ…ベース部材の底部溝（図５参照）、１０ｆ…板バネ部材用当たり部、１１ａ…板バネ部材の爪部（図５参照）、１１ｂ…板バネ部材のコレットチャック用穴の雌テーパー部、１１ｃ…止め部、１１ｄ…コレットチャック用の穴、１２ａ…コレットチャックの駆動穴、１２ｂ…雄型テーパー部、１２ｃ…コレットチャックの口径部、１２ｄ…コレットチャックのすり割り、１３ａ…偏芯部、１６ｂ…ハンドル部材止めネジ、１７ａ…駆動部材用ネジリコイルバネの一端、１７ｂ…駆動部材用のネジリコイルバネのもう一端、１８ａ…脚用ネジリコイルバネの一端、１８ｂ…脚用ネジリコイルバネのもう一端、１９…カメラ固定台
【図１】
2019003165.tif 000003
【図２】
2019003165.tif 000004
【図３】
2019003165.tif 000005
【図４】
2019003165.tif 000006
【図５】
2019003165.tif 000007
【図６】
2019003165.tif 000008
【図７】
2019003165.tif 000009
【図８】
2019003165.tif 000010
【図９】
2019003165.tif 000011